(57)【特許請求の範囲】
【請求項１】
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記区画空間を区画する前記複数の塊状部材のうち、隣り合う塊状部材同士が、共通の連結筋を介してそれぞれ連結され、
前記各共通の連結筋の延び方向内方部分が、前記連結筋の他端部として、前記連結部材に連結されている、
ことを特徴とする土木構築物用ユニット。
【請求項２】
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記連結部材が環状部材である、
ことを特徴とする土木構築物用ユニット。
【請求項３】
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記連結部材が金網である、
ことを特徴とする土木構築物用ユニット。
【請求項４】
請求項１〜３のいずれか１項において、
前記コンクリート基盤の上面に、石が植石されている、
ことを特徴とする土木構築物用ユニット。
【請求項５】
先ず、作業面上に複数の塊状部材を並べて区画空間を形成すると共に、該各塊状部材から連結筋を該区画空間内方にそれぞれ延ばした状態とし、
次に、前記各連結筋の延び端部同士を連結部材を介して連結して、該各連結筋を略水平状態にし、
次に、前記区画空間内にコンクリートを充填して前記各連結筋を該コンクリート内に埋設し、
前記各連結筋の延び端部同士を連結するに際して、該各連結筋の延び端部間に前記連結部材として環状部材を介在させる、
ことを特徴とする土木構築物用ユニットの製造方法。
【請求項６】
先ず、作業面上に複数の塊状部材を並べて区画空間を形成すると共に、該各塊状部材から連結筋を該区画空間内方にそれぞれ延ばした状態とし、
次に、前記各連結筋の延び端部同士を連結部材を介して連結して、該各連結筋を略水平状態にし、
次に、前記区画空間内にコンクリートを充填して前記各連結筋を該コンクリート内に埋設し、
前記各連結筋の延び端部同士を連結するに際して、該各連結筋の延び端部間に前記連結部材として金網を介在させる、
ことを特徴とする土木構築物用ユニットの製造方法。
【請求項７】
請求項５〜６のいずれか１項において、
前記区画空間内への前記コンクリートの充填後であって該コンクリートの硬化前までの間に、該コンクリート上に石を植石する、
ことを特徴とする土木構築物用ユニットの製造方法。
【発明の詳細な説明】
【技術分野】
【０００１】
本発明は、土木構築物用ユニット及びその製造方法に関する。
【背景技術】
【０００２】
土木構築物としての護岸には、多数の土木構築物用ユニットを施工面に敷設したもの、複数の土木構築物用ユニットを階段状に積み上げたもの等がある。この土木構築物用ユニットには、例えば特許文献１に示すように、複数の塊状部材を、外部に対して区画空間を区画するように並べ、その区画空間内に、該区画空間全体に行き渡るようにしてコンクリート基盤を配置し、その各塊状部材にアンカーを、その一端部をもって連結すると共に、該各アンカーの一端部よりも他端側をコンクリート基盤内に埋め込んだものが提案されている。このものによれば、複数の塊状部材とコンクリート基盤とにより重量安定性を確保できると共に、そのコンクリート基盤を囲む複数の塊状部材の不規則な形状に基づき周囲の自然環境に調和させることができることになる。しかも、重量安定性を確保するための部品としてコンクリート基盤を用いることから、籠等の収容容器を省くことができることになり、部品点数の低減を図ることもできる。
【特許文献１】特許第３７３７５０９号
【発明の開示】
【発明が解決しようとする課題】
【０００３】
しかし、上記土木構築物用ユニットにおいては、各アンカーの一端部よりも他端側をコンクリート基盤内に埋め込む構成であり、製造段階において、各アンカーは、コンクリート基盤になる前の未硬化コンクリートには係合することはできず、区画空間を区画する塊状部材が比較的小さいときには、コンクリートの注入に伴い、その各塊状部材は、そのコンクリートの注入、充填圧力に基づき動かされるおそれがある。このため、所望大きさの規格品を確実に製造するためには、製造段階において、塊状部材の動きをストッパ等により規制して、並べられた複数の塊状部材の状態を維持する作業が必要となる場合がある。
【０００４】
本発明は、このような事情に鑑みてなされたもので、その第１の技術的課題は、所望大きさの規格品を確実に製造することができる土木構築物用ユニットを提供することにある。
第２の技術的課題は、上記土木構築物用ユニットを製造するための土木構築物用ユニットの製造方法を提供することにある。
【課題を解決するための手段】
【０００５】
前記第１の技術的課題を達成するために本発明（請求項１に係る発明）にあっては、
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記区画空間を区画する前記複数の塊状部材のうち、隣り合う塊状部材同士が、共通の連結筋を介してそれぞれ連結され、
前記各共通の連結筋の延び方向内方部分が、前記連結筋の他端部として、前記連結部材に連結されている、
ことを特徴とする土木構築物用ユニットとした構成としてある。
【０００６】
上述の構成により、各連結筋の一端部が各塊状部材に連結されている一方、該各連結筋の他端側が該各塊状部材から区画空間内方に向けて延ばされ、その各連結筋の他端部同士が連結されて、各連結筋が略水平状態となるようにされていることから、各塊状部材が動くためには、方々に位置する他の塊状部材を同じ方向に一緒に動かす力が必要となり、製造時におけるコンクリートの注入に際して、何等特別の作業をしなくても、各塊状部材が動く可能性を格段に低めることができる。しかもこの場合、コンクリート注入に基づく力は、各対向する塊状部材に対して方向を逆にした略同じ力として作用することになり、それらは互いに相殺され、移動力の発生が抑制される。このため、当該土木構築物用ユニットの構造に基づき、コンクリート注入に塊状部材が動くことが規制され、所望大きさの規格品を確実に製造できる。
また、当該土木構築物用ユニットにおいては、各塊状部材に脱落させようとする力が作用しても、コンクリート基盤と連結筋との係合の他に、その塊状部材に連結筋を介して連結される他の塊状部材がコンクリート基盤の側壁に当接してストッパとなる。このため、各塊状部材がコンクリート基盤から脱落することを確実に防止できる。
【０００７】
さらに、前記コンクリート基盤内に、前記区画空間の略中央部において連結部材が埋設され、前記各連結筋の他端部が、前記連結部材を介して連結されていることから、製造段階において、周囲の種々の方向から集まる各連結筋の他端部を、連結部材により的確に連結できる。
また、当該土木構築物用ユニットにおいては、連結部材が、コンクリート基盤と係合して、各連結筋の共通の移動抵抗手段として効果的に働くことになり、各塊状部材がコンクリート基盤から脱落（移動）することを、より確実に防止できる。
【０００８】
さらに、前記区画空間を区画する前記複数の塊状部材のうち、隣り合う塊状部材同士が、共通の連結筋を介してそれぞれ連結され、前記各共通の連結筋の延び方向内方部分が、前記連結筋の他端部として、前記連結部材に連結されていることから、製造段階において、連結部材に対する各隣り合う塊状部材の連結作業を一作業で終わらせることができることになり、連結作業の工数を減らすことができる。
【０００９】
前記第１の技術的課題を達成するために本発明（請求項２に係る発明）にあっては、
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記連結部材が環状部材である、
ことを特徴とする土木構築物用ユニットとした構成としてある。
この構成のうち、前記連結部材が環状部材であることにより、種々の方向から延びてくる連結筋の他端部を的確に連結できるばかりでなく、連結部材と各連結筋の他端部との連結点を、連結部材を環状部材とすることにより、各塊状部材側に近づけることができる。このため、各塊状部材を連結する連結筋の長さを短縮して、製造段階における作業性を高めることができる。
【００１０】
前記第１の技術的課題を達成するために本発明（請求項３に係る発明）にあっては、
複数の塊状部材が、外部に対して区画空間を区画するように並べられ、
前記区画空間内に複数の連結筋とコンクリート基盤とが配設され、
前記各連結筋は、その一端部を前記各塊状部材に連結している一方、該各連結筋の他端側を該各塊状部材から前記区画空間内方に向けてそれぞれ延ばしており、
前記各連結筋の他端部同士が、該各連結筋を略水平状態にした状態で連結されており、
前記コンクリート基盤が、前記区画空間全体に行き渡るように設けられて該コンクリート基盤内部に前記各連結筋の他端側を埋め込んでおり、
前記コンクリート基盤内に、前記区画空間の略中央部において連結部材が埋設され、
前記各連結筋の他端部が、前記連結部材を介して連結され、
前記連結部材が金網である、
ことを特徴とする土木構築物用ユニットとした構成としてある。
この構成のうち、前記連結部材が金網であることにより、広い面積の網目構造を利用して、連結筋の他端部を、金網上の任意の位置で連結することができる。このため、区画空間を形成するための各塊状部材の配置によりその各塊状部材と連結部材との距離が区々になるとしても、また、種々の長さの連結筋を用いるとしても、各連結筋の他端部同士を的確且つ容易に連結できる。
【００１１】
請求項１〜３の好ましい態様として、前記コンクリート基盤の上面に、石が植石されている構成を採ることができる（請求項４対応）。この構成により、コンクリート基盤の上面に石を植石するために、そのコンクリート基盤を形成する未硬化状態のコンクリート上に石を植石する場合であっても、各塊状部材の連結筋及び連結部材により下方への石の移動を規制でき、必要以上に石がコンクリート内に沈み込むことを防止できる。このため、土木構築物用ユニットとして、コンクリート基盤上からの石の突出量を適切な状態としたものを得ることができる。
【００１２】
前記第２の技術的課題を達成するために本発明（請求項５に係る発明）にあっては、
先ず、作業面上に複数の塊状部材を並べて区画空間を形成すると共に、該各塊状部材から連結筋を該区画空間内方にそれぞれ延ばした状態とし、
次に、前記各連結筋の延び端部同士を連結部材を介して連結して、該各連結筋を略水平状態にし、
次に、前記区画空間内にコンクリートを充填して前記各連結筋を該コンクリート内に埋設し、
前記各連結筋の延び端部同士を連結するに際して、該各連結筋の延び端部間に前記連結部材として環状部材を介在させる、
ことを特徴とする土木構築物用ユニットの製造方法とした構成としてある。
【００１３】
上述の構成により、前記請求項２に係る土木構築物用ユニットを具体的に得ることができ、請求項２に係る土木構築物用ユニットを製造するための土木構築物用ユニットの製造方法を提供できる。
【００１４】
【００１５】
前記第２の技術的課題を達成するために本発明（請求項６に係る発明）にあっては、
先ず、作業面上に複数の塊状部材を並べて区画空間を形成すると共に、該各塊状部材から連結筋を該区画空間内方にそれぞれ延ばした状態とし、
次に、前記各連結筋の延び端部同士を連結部材を介して連結して、該各連結筋を略水平状態にし、
次に、前記区画空間内にコンクリートを充填して前記各連結筋を該コンクリート内に埋設し、
前記各連結筋の延び端部同士を連結するに際して、該各連結筋の延び端部間に前記連結部材として金網を介在させる、
ことを特徴とする土木構築物用ユニットの製造方法とした構成としてある。
この構成のうち、前記各連結筋の延び端部同士を連結するに際して、該各連結筋の延び端部間に金網を介在させることにより、前記請求項３に係る土木構築物用ユニットを具体的に製造できる。
【００１６】
請求項５，６の好ましい態様として、前記区画空間内への前記コンクリートの充填後であって該コンクリートの硬化前までの間に、該コンクリート上に石を植石する構成を採ることができる（請求項７対応）。この構成により、前記請求項４に係る土木構築物用ユニットを具体的に製造できる。
【発明の効果】
【００１７】
本発明（請求項１〜３に係る発明）によれば、所望大きさの規格品を確実に製造できると共に塊状部材の脱落を確実に防止できる土木構築物用ユニットを提供できる。
また、本発明（請求項５、６に係る発明）によれば、上記土木構築物用ユニット（請求項２，３に係る土木構築物用ユニット）を製造するための土木構築物用ユニットの製造方法を提供できる。
【発明を実施するための最良の形態】
【００１８】
以下、本発明の実施の形態について図面を参照して詳細に説明する。
図１〜図４は第１実施形態を示す。この図１〜図４において、符号１は第１実施形態に係る土木構築物用ユニットを示すもので、この土木構築物用ユニット１は、施工面に多数敷設されて、護岸、護床、根固機能等を発揮する。
【００１９】
前記各土木構築物用ユニット１は、図１，図２に示すように、複数の自然石（塊状部材）２と、複数のアンカー（連結筋）３と、連結部材としての金属製リング（環状部材）５と、コンクリートベース（コンクリート基盤）４と、植石用自然石１３とを備えている。
【００２０】
前記複数の自然石２は、図１，図２に示すように、正方形状のシート（例えば長繊維不織布）８の周縁部上にその全周に亘って配置されている。この複数の自然石２は、連続的な列をなして配列されており、それら複数の自然石２は、外部に対して区画空間６を形成している（製造段階を示す図３，図４参照）。この複数の自然石２としては、本実施形態においては、６００ｍｍ前後の径の割石、玉石等が８個用いられ、それらが、一辺が２ｍ前後とされた正方形のシート８の周縁部上に配置されている。この各自然石２には、区画空間６に臨む側において取付け孔７がそれぞれ形成されており、その各取付け孔７は区画空間６内に臨んでいる。
【００２１】
前記複数のアンカー３は、図２〜図４に示すように、前記区画空間６内に配設されている。この各アンカー３としては、直線材（例えば鉄筋線）が用いられており、その各アンカー３の一端部は、各自然石２の各取付け孔７に接着剤と共に挿入されて、その自然石２に一体化されている。その一方、各アンカー３の他端側は、区画空間６の中央部に向けて略水平状態をもって延びており、その各アンカー３の他端部（延び端部）は、区画空間６の略中央部に集合することになっている。
【００２２】
前記金属製リング５は、図２〜図４に示すように、前記区画空間６内の略中央部において、その軸心を上下方向に向けた状態で配置されている。この金属製リング５としては、容易には変形しない剛性を有するものが用いられており、その金属製リング５には各アンカー３の他端部が、その各他端部を金属製リング５を包むように折り曲げることにより連結されている。これにより、各アンカー３及び金属製リング５は、自然石２の上下高さの間における所定高さ位置で略水平状態をもって配置され、各アンカー３は、金属製リング５を中心として放射状に延びることになっている。この場合、各アンカー３の長さに関しては、金属製リング５に連結（折り曲げ）する際に、折り曲げ回数、切断等を通じて調整される。
【００２３】
前記コンクリートベース４は、図１，図２に示すように、前記区画空間６内に収納されている。このコンクリートベース４は、コンクリート（未硬化状態）を区画空間６内に充填した後、硬化させることにより形成されており、コンクリートベース４の外周縁部は、各自然石２表面の凹部、隣り合う自然石２間のわずかな隙間等にも入り込んで、それらに接着、係合されている。このコンクリートベース４の内部には、前記複数のアンカー３及び金属製リング５が埋設されており、その各アンカー３及び金属製リング５は、コンクリートベース４に係合されている。特に、金属製リング５は、コンクリートベース４との係合により、各アンカー３及びその各アンカー３に連結された自然石２に対して大きな移動抵抗力を付与している。
【００２４】
前記植石用自然石１３は、図１，図２に示すように、前記コンクリートベース４の上面に植石されている。この植石用自然石１３にも直線状のアンカー１４が、その一端部をもって連結されており、そのアンカー１４の一端部よりも他端側とその植石用自然石１３の一部とは、コンクリートベース４内に埋め込まれている。このような埋め込み状態は、コンクリートベース４となるコンクリートが未硬化状態にある時間を利用して、そのコンクリート内に埋め込むことにより得られる。勿論、この植石用自然石１３に関しては、アンカー１４を省いたものを埋め込むだけの構成にしてもよいし、植石用自然石１３自体を省いてもよい。
【００２５】
次に、上記第１実施形態に係る土木構築物用ユニットの製造方法について説明する。
先ず、作業面１５上にシート８を敷き、そのシート８上の周縁部に複数の自然石２を、連続的に列をなすように並べる。複数の自然石２により区画空間６を区画するためである。
【００２６】
この場合、本実施形態においては、上記各自然石２として、アンカー３の一端部が予め取付けられたものが用いられ、その各自然石２を用いて区画空間６を形成する際に、その各自然石２の配置作業に伴って、各アンカー３の他端側は、略水平状態を維持しつつ区画空間６の略中央部に向けられる。勿論、複数の自然石２をもって区画空間６を形成した後、各自然石２に取付け孔７を形成し、その各取付け孔７にアンカー３の一端部を取付けてもよい。
【００２７】
次に、図３，図４に示すように、金属製リング５を区画空間６の略中央部に、その軸心が上下方向を向くようにした状態で配置しつつ、その金属製リング５と各アンカー３の他端部とを連結する。各自然石２の移動を規制して、区画空間６の状態を保持するためである。この金属製リング５と各アンカー３の他端部との連結には、本実施形態においては、各アンカー３の他端部のうち、金属製リング５の径方向内方に入り込んだ部分を折り曲げ、その折り曲げ部分で金属製リング５を包み込む（巻回する）ことが行われる。この場合、金属製リング５と各アンカー３の他端部とが連結された後においても、それら各アンカー３及び金属製リング５は、略水平状態の姿勢を保つように設定され、自然石２を連結した各アンカー３は、図３に示すように、金属製リング５を中心として放射状に延びることになる。
【００２８】
次に、図４に示すように、前記複数の自然石２が区画する区画空間１０内にコンクリートを充填する。そのコンクリートを硬化させて、重量物としてのコンクリートベース７を形成すると共に、各アンカー３及び金属製リング５をコンクリートベース４内に埋設して各自然石２をコンクリートベース７に連結するためである。特に、金属製リング５は、コンクリート硬化後のコンクリートベース４と係合して大きな移動抵抗となり、各アンカー３の移動、各自然石２の脱落、移動を確実に防止する。この場合、コンクリートは、この後に植石用自然石１３等が埋め込まれる容積を考慮して、自然石の高さの４／５程度の高さになるまで充填され、また、そのコンクリートの充填に際しては、そのコンクリートが隙間から漏れ出さないようにするべく、隣り合う自然石２間の隙間に、間詰石、繊維状のシート、弾性体、生分解プラスチック等（図示略）が単独又は複合的に詰め材として詰められる。
【００２９】
次に、前記コンクリートが未硬化状態にあるうちに、図１，図２に示すように、植石用自然石１３の一部及びその植石用自然石１３に連結されるアンカー１４を、コンクリート上面からその内部に埋め込む。植石用自然石１３をコンクリートベース４の上面部に確実に連結するためである。この後、コンクリート全体が硬化して、コンクリートベース４が形成されることにより、当該土木構築物用ユニット５は完成する。
【００３０】
したがって、この第１実施形態においては、製造時に、アンカー３の他端部が金属製リング５を介して連結されていることから、複数の自然石２が区画する区画空間６内にコンクリートが注入されても、その各自然石２が動くためには、他の自然石（７個の自然石）２を一緒に同じ方向に動かす力が必要となり、製造時におけるコンクリートの注入に際して、何等特別の作業をしなくても、各自然石２が動く可能性を格段に低めることができる。しかも、コンクリート注入に基づく力は、各対向する自然石２に対して、逆方向の同じ力として作用することになり、その両自然石２に作用する力は相殺されて、自然石２に移動力が発生することが抑制される。これにより、各自然石２の移動を生じさせることなくコンクリート注入を行うことができることになり、土木構築物用ユニット１として、所定大きさの規格品を確実に製造できる。
【００３１】
また、この土木構築物用ユニット１においては、自然石２を連結する各アンカー３の他端部同士が金属製リング５を介して連結されていることから、各自然石２に外力が作用しても、その他の自然石２がコンクリートベース４の側壁に当接してストッパとなる。このため、この土木構築物用ユニットが護岸等に使用されているときに、その各自然石２に脱落させようとする力が作用しても、コンクリートベース４とアンカー３との係合の他に、他の自然石２がストッパとして働き、自然石２が脱落することを確実に防止できる。
【００３２】
さらに、各アンカー３の他端部を連結する金属製リング５が、コンクリートベース４に係合して、各アンカー３の共通の移動抵抗手段として効果的に働くことになり、各自然石２がコンクリートベース４から脱落することを、より確実に防止できる。
【００３３】
さらにまた、複数のアンカー３及び金属製リング５が互いに連結され、しかも、それらが、区画空間６内において、所定の高さ位置で略水平な姿勢状態で配置されていることから、製造段階において、区画空間６内における未硬化状態のコンクリート上に植石用自然石１３を植石する場合であっても、その植石用自然石１３の下方への移動（沈み込み）が、各アンカー３及び金属製リング５により規制されて、必要以上にその植石用自然石１３がコンクリート内に沈み込むことが防止される。これにより、コンクリートベース４からの植石用自然石１３の突出量を適切なものとし、植石用自然石１３のコンクリートベース４上面からの突出量に関しても、規格通りのものを製造できる。
【００３４】
加えて、製造段階において、自然石２の配置により規格通りの区画空間６を形成できる一方で、各自然石２から区画空間６の略中央部（金属製リング５）までの距離が区々になるが、各アンカー３の他端部を金属製リング５に連結する構成であることから、各自然石２から区画空間６の略中央部（金属製リング５）までの距離が区々になったとしても、各アンカー３の他端部と金属製リング５との連結の際、各アンカー３の他端部の長さを調整（切断、折り曲げ回数等）して、その両者３，５の連結を簡単に行うことができる。これは、特に、自然石２にアンカー３の一端部が予め連結されているものを用いて、区画空間６を形成する場合に効果的なものとなる。自然石２にアンカー３の一端部が予め連結されているものを用いることにより作業の迅速性を図ることができると共に、そのような自然石２を用いても、的確且つ容易に、各アンカー３の他端部と金属製リング５とを連結できるからである。
【００３５】
図５，図６は第２実施形態、図７，図８は第３実施形態、図９は第４実施形態、図１０，図１１は第５実施形態、図１２，図１３は第６実施形態、図１４，図１５は第７実施形態を示す。この各実施形態において、前記第１実施形態及びその各実施形態の基礎となる実施形態と同一構成要素については同一符号を付してその説明を省略する。
【００３６】
図５，図６に示す第２実施形態は第１実施形態の変形例を示す。この第２実施形態においては、各アンカー３が、第１アンカー部３ａと、第２アンカー部３ｂとからなる分割タイプとされている。第１アンカー部３ａは、その一端部が、前記第１実施形態同様、自然石２に連結されており、その他端部は、その自然石２から離れるように延びて区画空間６の内方に向けられている。第２アンカー部３ｂは、その一端部が予め金属製リング５に固定され、その第２アンカー部３ｂの他端部は自然石２側の第１アンカー部３ａの他端部に向けられている。この第１アンカー部３ａの他端部及び第２アンカー部３ｂの他端部のいずれか一方が、略Ｕ字状に折り曲げられた状態となっており、自然石２の配置が決まった後（区画空間６形成後）、第１アンカー部３ａの他端部及び第２アンカー部３ｂの他端部の他方が、一方に絡ませた状態で折り曲げられ、第１，第２アンカー部３ｂは、１本の直線材となる。このため、第１アンカー部３ａの他端部と第２アンカー部３ｂの他端部との上記連結により、自然石２と金属製リング５との間の長さに応じた長さのアンカー３が確保され、そのアンカー３（第１アンカー部３ａ、第２アンカー部３ｂ）、金属製リング５は、略水平状態になる。
【００３７】
この場合、第１アンカー部３ａの他端部と第２アンカー部３ｂの他端部とを連結するに際して、第１アンカー部３ａの他端部、第２アンカー部３ｂの他端部のいずれか一方に、挿通孔を備える連結金具を取付けておき、その連結金具の挿通孔に他方（アンカー部）を挿通させてそれを折り曲げてもよい。
【００３８】
図７，図８に示す第３実施形態においては、各自然石２に取付ける連結筋として略Ｕ字状の連結金具２１が用いられている。この連結金具２１は、線材を略Ｕ字状に曲げて、その両端部を自然石２に取付けることになっており、その自然石２に取付けられた連結金具２１は、その自然石２から一定長さだけ突出されて、通し孔１６を形成することになっている。このような連結金具２１を備えた各自然石２は、その連結金具２１を区画空間６の略中央部に向けて略水平な状態で突出するようにしつつ並べられ、その複数の自然石２により区画空間６が形成される。この区画空間６に臨む各連結金具２１の通し孔１６にはチェーン、ワイヤ等の連結線１７が通されることになり、その連結線１７は、その両端部を連結することによりエンドレス状態の環状部材としての環状線１７Ａに形成される。これにより、各連結金具２１が環状線１７Ａを介して連結されることになり、各自然石２が移動することが規制されることになる。このため、この後、区画空間６内にコンクリートが充填されるも、そのコンクリート注入に伴って、自然石２が移動することが防止され、規格通りの大きさの土木構築物用ユニット１が製造される。この場合、複数の自然石２が正方形状の区画空間６を形成するに伴い、区画空間６の略中央部と各自然石２の連結金具２１との間の長さが区々となるが、各自然石２の配置後、連結線１７を各連結金具２１の通し孔１６に通して、環状線１７Ａを形成することから、各連結金具２１の通し孔１６の位置（連結金具２１の突出長さ）に応じて連結線１７が変形することになり、各連結金具２１同士は、その各通し孔１６の位置に応じて変形した環状線１７Ａを介して容易且つ確実に連結される。
【００３９】
また、区画空間６内にコンクリートを充填した後、その未硬化状態のコンクリート上に植石用自然石１３が植石されるが、この場合においても、その植石用自然石１３は、環状線１７Ａ及び連結金具２１により、必要以上のコンクリート内への沈み込みが規制され、植石用自然石１３は、コンクリートベース４の上面に規格通りの突出量をもって突出することになる。
【００４０】
図９に示す第４実施形態は、前記第３実施形態の変形例を示す。この第４実施形態においては、短めのアンカー３の他端部に連結リング部１８が形成されており、その各アンカー３の連結リング部１８に連結線１７が通されて環状線１７Ａが形成される。このため、この第４実施形態においても、前記第３実施形態と同様の作用効果を得ることができる。
【００４１】
図１０，図１１に示す第５実施形態においては、区画空間６を区画する複数の自然石２のうち、隣り合う自然石２が共通の連結線１９を介してそれぞれ連結されている。この各連結線１９の延び方向内方部分は、自然石２の配置に応じて、区画空間６の略中央部に向けて引張り出されており、引張り出し部分２３には、通し孔を確保すべく、シャックル２０が保持されている。このシャックル２０には、連結線１７が通されて環状線１７Ａが形成されており、その環状線１７Ａには、シャックル２０、引張り出し部分２３（連結線１９）を介して各隣り合う自然石２がそれぞれ連結されている。これにより、各自然石２が移動することが規制されることになり、この後、区画空間６内にコンクリートが充填されても、そのコンクリート注入に伴って、自然石２が移動することが防止される。また、各引張り出し部分２３（連結線１９）及び環状線１７Ａは、未硬化状態のコンクリート上に植石用自然石１３を植石する際に、その植石用自然石１３が必要以上にコンクリート内へ沈み込むことを規制し、植石用自然石１３を、コンクリートベース４の上面に規格通りの突出量をもって突出させることになる。
【００４２】
本実施形態においては、各自然石２の移動規制を高める観点から、隣り合う関係にあるもの全てについて、共通の連結線１９を介して連結し、１個の自然石２当たり、２本の連結線１９が連結されることになっているが、複数の自然石２を、隣り合う自然石２毎にグループ分けし、その各グループ分けされた隣り合う自然石２同士だけを共通の１本の連結線１９で連結してもよい。これにより、環状線１７Ａに対する各隣り合う自然石２の連結作業を一作業で終わらせることができることになり、連結作業の工数を減らすことができる。また、シャックル２０を省き、連結線１７を各共通の連結線１９の折畳み部分に通して、環状線１７Ａに対して、各共通の連結線１９の延び方向内方部分を直接、連結してもよい。
【００４３】
図１２，図１３に示す第６実施形態は、前記第５実施形態の変形例を示す。この第６実施形態においては、隣り合う自然石２を連結する共通の連結線１９の引張り出し部分２３が連結部材としての金網２２にシャックル２０を介して連結されている。これにより、正方形状の区画空間６を形成するための各自然石２の配置により、その各自然石２と金網２２（連結部材）との距離が区々になるとしても、また、種々の長さの連結線１９を用いるとしても、金網２２における広い面積の網目構造を利用することにより、そのいずれかの網目部分に連結することができることになる。このため、各連結線１９の引張り出し部分２３を、緊張状態にしつつ、金網２２（網目）にシャックル２０を介して連結することができ、この後のコンクリート注入により各自然石２が移動することを規制することができる。
また、区画空間６の略中央部に、比較的細かい網目を有する金網２２が配置されることから、区画空間６内にコンクリートを充填後、その未硬化状態のコンクリート上に植石用自然石１３を配置しても、引張り出し部分２３（複数の連結線１９）だけでなく、比較的広い面の金網２２がその植石用自然石１３の必要以上の沈み込みを確実に規制することになり、コンクリートベース４上面からの植石用自然石１４の突出量を所定の突出量とする。
【００４４】
図１４，図１５に示す第７実施形態においては、対向する自然石２から延びるアンカー３の他端部をチェーンＣを介して連結したものを示している。すなわち、区画空間６の略中央部に集まる各アンカー３の他端部にはフック部３ｆが形成され、各対向する自然石２から延びるアンカー３のフック部３ｆにチェーンＣが緊張状態をもって掛け渡されている。これにより、前記第１実施形態等同様、コンクリート注入時に自然石２が移動することを防止できると共に、植石用自然石１３が必要以上にコンクリート内に沈み込むことを防止することができる。勿論、上記チェーンＣ全てを別の連結手段（連結線）を用いて連結してもよい。
【００４５】
上記各実施形態以外に、前記第１実施形態（図１〜図４）の変形例として、金属製リング５を省き、対向する自然石２から延びるアンカー３の他端部同士を、互いにねじり合わせることにより、直接、連結してもよい。これにより、前記第１実施形態同様、コンクリート注入時に自然石２が移動することを防止できると共に、植石用自然石１３が必要以上にコンクリート内に沈み込むことを防止することができる。この場合、各自然石２から正方形状の区画空間６の略中央部までの距離が区々になることに関しては、対向する自然石２から延びるアンカー３の他端部同士を、略水平状態になるようにしつつ互いにねじることにより長さ調整される。この変形例では、対向する配置関係にある自然石２に連結されたアンカー３の他端部同士だけを連結しているが、これら全部を、さらに別の連結手段（連結線）を用いて連結してもよい。
【００４６】
以上実施形態について説明したが本発明にあっては、次のような態様を包含する。
（１）区画空間６を区画する複数の自然石２の数を３以上の種々の数とすること。
（２）塊状部材として、自然石２の他に、擬石、ブロック等を用いること。
（３）各実施形態に係る土木構築物用ユニット１を、河川、湖等の護岸、根固め構造物、消波構造物等として適宜、用いること。
（４）自然石２に連結筋を連結するに際して、接着剤だけでなく、打ち込み式アンカーを用いて連結してもよいこと。
（５）シート８を省くこと、また、シート８の代わりに敷き砂を用いること。
【図面の簡単な説明】
【００４７】
【図１】第１実施形態に係る土木構築物用ユニットを示す平面図。
【図２】第１実施形態に係る土木構築物用ユニットを示す縦断面図。
【図３】第１実施形態に係る土木構築物用ユニットの製造工程（コンクリート注入前）を平面的に説明する説明図。
【図４】第１実施形態に係る土木構築物用ユニットの製造工程（コンクリート注入前）を示す縦断面図。
【図５】第２実施形態に係る土木構築物用ユニットの製造工程（コンクリート注入前）を平面的に説明する説明図。
【図６】第２実施形態に係る土木構築物用ユニットの製造工程（コンクリート注入前）を示す縦断面図。
【図７】第３実施形態に係る土木構築物用ユニットの製造工程（コンクリート注入前）を平面的に説明する説明図。
【図８】第３実施形態に係る土木構築物用ユニットの製造工程（コンクリート注入前）を示す縦断面図。
【図９】第４実施形態に係る土木構築物用ユニットの製造工程（コンクリート注入前）を示す縦断面図。
【図１０】第５実施形態に係る土木構築物用ユニットの製造工程（コンクリート注入前）を平面的に説明する説明図。
【図１１】第５実施形態に係る土木構築物用ユニットの製造工程（コンクリート注入前）を示す縦断面図。
【図１２】第６実施形態に係る土木構築物用ユニットの製造工程（コンクリート注入前）を平面的に説明する説明図。
【図１３】第６実施形態に係る土木構築物用ユニットの製造工程（コンクリート注入前）を示す縦断面図。
【図１４】第７実施形態に係る土木構築物用ユニットの製造工程（コンクリート注入前）を平面的に説明する説明図。
【図１５】第７実施形態に係る土木構築物用ユニットの製造工程（コンクリート注入前）を示す縦断面図。
【符号の説明】
【００４８】
１ 土木構築物用ユニット
２ 自然石（塊状部材）
３ アンカー（連結筋）
４ コンクリートベース（コンクリート基盤）
５ 金属製リング（連結部材）
６ 区画空間
１３ 植石用自然石
１５ 作業面
１７Ａ 環状線（連結部材）
１９ 連結線（連結筋）
２１ 連結金具（連結筋）
２２ 金網（連結部材）
【図１】
0005000553.tif 000002
【図２】
0005000553.tif 000003
【図３】
0005000553.tif 000004
【図４】
0005000553.tif 000005
【図５】
0005000553.tif 000006
【図６】
0005000553.tif 000007
【図７】
0005000553.tif 000008
【図８】
0005000553.tif 000009
【図９】
0005000553.tif 000010
【図１０】
0005000553.tif 000011
【図１１】
0005000553.tif 000012
【図１２】
0005000553.tif 000013
【図１３】
0005000553.tif 000014
【図１４】
0005000553.tif 000015
【図１５】
0005000553.tif 000016